(57)【要約】  モバイルデバイスの子供による共有の実施例において、モバイルデバイスは、統合されたディスプレイデバイス上にデフォルトのデバイスロック画面を表示し、デフォルトのデバイスロック画面で入力されるＰＩＮコードを受け取ることなく、チャイルドロック画面を表示するために、デフォルトのデバイスロック画面から遷移するのに有効な入力を受け取ることができる。モバイルデバイスは、チャイルドスペースを表示するために、チャイルドロック画面から遷移するのに有効な第２の入力を受け取ることができる。モバイルデバイスは、モバイルデバイスのチャイルドシェアモードをアクティブにするデバイス共有サービスを実施し、指定された制限限度に基づいて、デバイスアプリケーションの機能及びデバイスコンテンツへのアクセスを制限する。
2015528674.tif 000002
【特許請求の範囲】
【請求項１】
デフォルトのデバイスロック画面からチャイルドロック画面に遷移するのに有効な第１の入力を受け取るように構成される入力システムであって、前記チャイルドロック画面からチャイルドスペースに遷移するのに有効な第２の入力を受け取るようにさらに構成される、入力システムと、
前記デフォルトのデバイスロック画面、前記チャイルドロック画面又は前記チャイルドスペースのうちの１つを表示するように構成されるディスプレイデバイスと、
前記デフォルトのデバイスロック画面で入力される識別子コード及び前記チャイルドロック画面で入力される識別子コードなしに前記チャイルドスペースの表示を開始し、
指定された制限限度に基づいてデバイスアプリケーションの機能及びデバイスコンテンツへのアクセスを制限するチャイルドシェアモードをアクティブにする
ように構成されるデバイス共有サービスを実施する処理システムと
を備えるモバイルデバイス。
【請求項２】
デバイスの機能を開始するためのユーザー入力を受け取るように構成される容量性デバイス入力ボタンをさらに備え、
前記デバイス共有サービスは、前記チャイルドシェアモードにおいて前記容量性デバイス入力ボタンを非アクティブにするようにさらに構成される請求項１に記載のモバイルデバイス。
【請求項３】
前記デバイス共有サービスは、前記チャイルドシェアモード中、着信電話を制限するように構成される請求項１に記載のモバイルデバイス。
【請求項４】
前記デバイス共有サービスは、前記モバイルデバイスのオーディオ設定を、前記チャイルドシェアモードをアクティブにする前に指定された音量レベルに復元するように構成される請求項１に記載のモバイルデバイス。
【請求項５】
前記デバイス共有サービスは、
アプリケーション機能制限設定及びコンテンツアクセス制限設定を含むチャイルドシェアプロファイルに基づいて、前記チャイルドシェアモードをアクティブにする
ように構成される請求項１に記載のモバイルデバイス。
【請求項６】
モバイルデバイスの統合されたディスプレイデバイス上にデフォルトのデバイスロック画面を表示するステップと、
チャイルドロック画面を表示するために前記デフォルトのデバイスロック画面の表示から遷移するのに有効な第１の入力を受け取るステップと、
前記デフォルトのデバイスロック画面で入力される識別子コードを受け取ることなく、前記チャイルドロック画面を表示するステップと、
前記チャイルドロック画面で入力される識別子コードを受け取ることなく、チャイルドスペースを表示するために前記チャイルドロック画面の表示から遷移するのに有効な第２の入力を受け取るステップと、
指定された制限限界に基づいて、デバイスアプリケーションの機能及びデバイスコンテンツへのアクセスを制限するのに有効な前記モバイルデバイスのチャイルドシェアモードをアクティブにするステップと
を含む方法。
【請求項７】
前記チャイルドシェアモードにおいて前記モバイルデバイスの容量性デバイス入力ボタンを非アクティブにするステップをさらに含む請求項６に記載の方法。
【請求項８】
デジタル写真を撮るためにデバイスのカメラアプリケーションへのアクセスを許可するステップと、
前記チャイルドシェアモード中、クラウドストレージへの前記デジタル写真のアップロードを制限するステップと
をさらに含む請求項６に記載の方法。
【請求項９】
前記チャイルドシェアモード中、前記モバイルデバイスの統合されたスピーカーとは別個のヘッドセットが前記モバイルデバイスのヘッドセットポートに接続される間、着信電話の音声通知を前記統合されたスピーカーを介して提供するステップをさらに含む請求項６に記載の方法。
【請求項１０】
前記モバイルデバイスのオーディオ設定を、前記チャイルドシェアモードのアクティブ化の前に指定された音量レベルに復元するステップをさらに含む請求項６に記載の方法。
【発明の詳細な説明】
【技術分野】
【０００１】
本発明は、モバイルデバイスの子供による共有に関する。
【背景技術】
【０００２】
[0001]携帯電話、タブレットデバイス、並びに他のコンピューティング、通信及びエンターテイメントデバイスなどの多くの種類のデバイスが、ユーザーにとって有益なより多くの機能、アプリケーション、及び特徴をますます提供するようになっており、自分の個人的な時間及び仕事や社会活動をよりよくすることができるようになっている。例えば、携帯電話は、テキスト、電子メール、及び音声通信のために使用することができるだけではなく、音楽を聴いたり、インターネットサーフィンをしたり、ビデオコンテンツを見たり、ゲームをしたり、写真やビデオを取得したりするなど、エンターテイメントのために使用することもできる。同様に、携帯型タブレットデバイスは、電子メール、ブラウザー、ナビゲーション、及び他のコンピューティングアプリケーションのために利用できるほか、様々なエンターテイメントや写真機能のために利用することができる。携帯電話やタブレットデバイスのユーザーにとって利用可能な多くのコンピューティング、通信、及びエンターテインメントの用途に加えて、無限とも思える数のサードパーティアプリケーションや機能もまた、デバイスへのダウンロードのために利用可能である。
【発明の概要】
【発明が解決しようとする課題】
【０００３】
[0002]まだ自分の携帯電話を持っていない幼い子供の親は、ゲームをプレイし、写真を撮り、音楽を聴き、他のアクティビティをするために子供が親の携帯電話で「遊ぶ」ことを望む様子をよく目にする。通常、親は、子供を楽しませておくために、運転中、車の後部座席にいる幼い子供に自分の携帯電話を渡すことがある。その場合、親は、ウェブブラウザーや意図しない電子メールアプリケーションへのアクセスなど、子供がデバイス上で何の機能やアプリケーションにアクセスするか、又は、オーディオ設定、アラーム設定、カレンダー通知などの、どのデバイス設定が変更された可能性があるかについて、知ることができない。
【課題を解決するための手段】
【０００４】
[0003]この概要は、詳細な説明で以下にさらに説明され及び／又は図面に示される、モバイルデバイスの子供による共有についての特徴及び単純化された概念を導入するものである。この概要は、特許請求される主題の本質的な特徴を説明すると考えられるべきではないし、特許請求の主題の範囲を決定したり制限するために使用されるべきでもない。
【０００５】
[0004]モバイルデバイスの子供による共有について説明される。実施例において、モバイルデバイスは、デフォルトのデバイスロック画面を統合されたディスプレイデバイスに表示し、デフォルトのデバイスロック画面上で入力されるＰＩＮコードを受け取ることなくチャイルドロック画面を表示するために、デフォルトのデバイスロック画面から遷移するのに有効な入力を受け取ることができる。モバイルデバイスは、チャイルドスタート画面などのチャイルドスペース（child space）を表示するためにチャイルドロック画面か
ら遷移するのに有効な第２の入力を受け取ることができる。モバイルデバイスは、モバイルデバイスのチャイルドシェア（子供による共有）モードをアクティブにするデバイス共有サービスを実施し、指定された制限限度（restriction limits）に基づいて、デバイスアプリケーションの機能及びデバイスコンテンツへのアクセスを制限する。
【０００６】
[0005]実施例では、チャイルドシェアモードは、デバイスアプリケーション機能制限設
定及びデバイスコンテンツアクセス制限設定を含む、チャイルドシェア（子供共有）プロファイルに基づいてアクティブにすることができる。デバイス共有サービスは、チャイルドスペース内のデバイスアプリケーション機能の制限を可能にし、チャイルドシェアモード中、チャイルドスペース内でのデバイスコンテンツのアクセスの制限を可能にするように実施される。デバイス共有サービスはまた、モバイルデバイスへの入力に応答してチャイルドシェアモードを無効にし、モバイルデバイスのユーザーモードを有効にすることができる。デバイス共有サービスは、モバイルデバイスのオーディオ設定を、チャイルドシェアモードの活性化の前に指定された音量レベルに復元するためなど、チャイルドシェアモード中に変更された、ユーザーモードにおいて以前に指定されたデバイス設定を復元することができる。
【０００７】
[0006]モバイルデバイスの子供による共有の実施例は、以下の図面を参照して説明される。図面に示される同様の特徴及びコンポーネントを指すために、全体を通して同じ番号が使用されることがある。
【図面の簡単な説明】
【０００８】
【図１】モバイルデバイスの子供による共有の例を示す。
【図２】モバイルデバイスの子供による共有の実施例を実施することができる例示的なシステムを示す。
【図３】１つ又は複数の実施例による、モバイルデバイスの子供による共有の例示的な方法を示す。
【図４】１つ又は複数の実施例による、モバイルデバイスの子供による共有の例示的な方法を示す。
【図５】１つ又は複数の実施例による、モバイルデバイスの子供による共有の例示的な方法を示す。
【図６】モバイルデバイス上でのモバイルデバイスの子供による共有の設定及び活性化（起動、アクティブ化）を示す。
【図７】モバイルデバイス上でのモバイルデバイスの子供による共有の設定及び活性化を示す。
【図８】モバイルデバイスの子供による共有の実施例におけるコンテンツの管理を示す。
【図９】制限された実行モードの例を示す。
【図１０】制限された実行モードの実施例を実施することができる例示的なシステムを示す。
【図１１】１つ又は複数の実施例による、制限された実行モードの例示的な方法を示す。
【図１２】１つ又は複数の実施例による、制限された実行モードの例示的な方法を示す。
【図１３】１つ又は複数の実施例による、制限された実行モードの例示的な方法を示す。
【図１４】モバイルデバイスの子供による共有の実施例を実施することができる例示的なデバイスを備えた例示的なシステムを示す。
【発明を実施するための形態】
【０００９】
[0007]モバイルデバイスの子供による共有の実施例が説明され、携帯電話、携帯型タブレットデバイス、又は他のタイプのコンピューティング及び／又は通信デバイスなどにおいてクライアントデバイスサービス又はアプリケーションとして実施することができるデバイス共有サービスを提供する。モバイルデバイスの子供による共有は、制限されたアプリケーション、データ、機能及び特徴へのアクセスを有することなく子供がデバイスで遊ぶことを親が許可することができるように、モバイルデバイスの任意のアプリケーション
、データ、機能、及び特徴についてのペアレンタルコントロールのための「キッズコーナー（Kid’s Corner）」（キッズスペース（kid space）やチャイルドゾーン（child zone）とも呼ばれる）の実施を可能とする。キッズコーナーは、まさに子供のための、携帯電話上でカスタムの目的を提供するチャイルドシェア（子供共有）スペースであり、子供はデバイス上での「遊び」へと進む。
【００１０】
[0008]チャイルドシェアスペースにおいて、子供のアクセスは、親が選択するアプリケーション、ゲーム、音楽、ビデオ、映画及び他のコンテンツのみに制限される。キッズコーナーの外部の設定及びコンテンツのすべてが保護され、キッズコーナーにいる間、購入をブロックすることができる。モバイルデバイスのブロックされた及び／又は制限されたアプリケーション及び特徴は、電話をかけ、テキストを送信し又は電子メールにアクセスし、ソーシャルネットワークに投稿したりインターネットを検索したりするなどのためにインターネットにアクセスしたりする機能を含んでもよい。親が子供から自分のモバイルデバイスを取り戻すと、親は、デバイスの電源ボタンを単に押すか、又は別の指定された選択可能なコントロールに別の入力を提供して、チャイルドシェアモードを無効にしてデバイス上でデフォルトのロック画面を再開することができ、親ユーザーは、ロック画面のパスワードを用いてモバイルデバイスにアクセスすることができる。
【００１１】
[0009]モバイルデバイスの子供による共有の特徴及び概念は、任意の数の異なるデバイス、システム、環境、及び／又は構成で実現することができるが、モバイルデバイスの子供による共有の実施例は、以下の例示的なデバイス、システム及び方法の文脈で説明される。
【００１２】
[0010]図１は、モバイルデバイスの子供による共有及び関連する方法のグラフィカルユーザーインターフェイスの例を示す。例示的なモバイルデバイス１００は、携帯電話、タブレットデバイス、コンピューティングデバイス、通信、エンターテイメント、ゲーム、ナビゲーション、及び／又は他のタイプの携帯型電子デバイスのうちの任意の１つ又は組み合わせであってもよい。チャイルドスペース（「キッズコーナー」とも呼ぶ）は、制限されたアプリケーション、データ、機能、特徴及びコンテンツへのアクセスを有することなく子供がデバイスで遊ぶことを親が許可することができるように、コンテンツへの子供のアクセス並びにモバイルデバイス１００の任意のアプリケーション、機能及び特徴へのアクセスについての親によるコントロールを可能にするように実施することができる。キッズコーナーは、許可されたゲーム、音楽、ビデオ、アプリケーション、通信機能のほか、親によって制限されていないか、あるいは、親によって許可されている、モバイルデバイスの任意の他の機能及び特徴に子供（本明細書においてはキッズとも呼ぶ）がアクセスできる、別個のスタート画面環境から実施することができる。
【００１３】
[0011]例示的なモバイルデバイス１００は、１０６においてデバイスがロックされることを示すデフォルトのデバイスロック画面１０４などのユーザーインターフェイスを表示することが可能な、統合されたディスプレイデバイス１０２を含む。例えば、モバイルデバイスのユーザーは子供の親であってもよく、親は、子供が誤って電子メールやテキストなどのアプリケーションにアクセスしたり及び／又はブラウザーアプリケーションを介してインターネットにアクセスしたりすることがないように、使用しないときにロックするようにデバイスを設定することができる。
【００１４】
[0012]モバイルデバイス１００の親ユーザーは、子供が電話で遊ぶことを許可し、デフォルトのデバイスロック画面１０４からデバイスをロック解除する必要なしに、例えば、いくつかの例では個人識別番号（ＰＩＮ）又は他の認証資格情報を提供する必要なしに、電話を渡すことができてもよい。例１０８に示すように、携帯電話を持つ子供は、ジェスチャー入力（例えば、水平方向のスワイプジェスチャー）によってデフォルトのデバイス
ロック画面をスワイプして、チャイルドロック画面１１０にアクセスすることができ、これは「キッズコーナー」初期画面１１４として１１２において示される。キッズコーナー初期画面１１４（例えば、チャイルドロック画面）から、子供は、別の方向１１６などに、別のジェスチャー入力（例えば、垂直方向のスワイプジェスチャー）によって画面をスワイプして、例１２０に示すようにチャイルドスペース１１８にアクセスすることができる。
【００１５】
[0013]実施例において、これらの遷移を行うために使用される入力は、モバイルデバイスの統合されたディスプレイデバイス１０２上での任意の方向における、任意のタイプのユーザー及び／又はジェスチャーもしくはキーストローク入力であってもよい。あるいは、又は加えて、任意のタイプのデバイス、ボタン、及び／又はジェスチャー入力が、デフォルトのデバイスロック画面１０４からチャイルドロック画面１１０へ、そしてその後にチャイルドスペース１１８へ遷移するために有効に利用することができる。実施例において、ディスプレイは、デフォルトのデバイスロック画面からチャイルドロック画面に遷移するときに休止し、その後、さらなる入力なしに、チャイルドスペースに自動的に遷移してもよい。あるいは、デフォルトのデバイスロック画面からチャイルドスペースへの遷移は、チャイルドロック画面を完全に省略することによって達成されてもよい。
【００１６】
[0014]チャイルドスペース１１８から、子供は、子供のカメラ（例えば、統合されたデジタルカメラ１２２の許可されたカメラ機能）及びキッズコーナーにおいて子供が撮影した写真にアクセスすることができ、当該写真は、クラウドベースのストレージにアップロードされるのではなく、デバイス上の指定されたローカルの写真スペースに保持することができる。子供はまた、許可されたゲーム、音楽、画像、ビデオ、アプリケーション、通信機能のほか、親によって制限されていない（あるいは、積極的に認められている）モバイルデバイス１００の任意の他の機能及び特徴にアクセスすることができる。親はまた、子供が削除することができない写真をチャイルドスペース内に固定する（pin）ことがで
きる。例示的なチャイルドシェア（子供共有）ユーザーインターフェイス（例えば、キッズコーナー画面１１４及びチャイルドスペース１１８）を参照して並びに本明細書に記載され及び／又は図面に示される任意の他のユーザーインターフェイスを参照して示される、テキスト、画像、写真、グラフィック、リンク、データ、情報、及びプレゼンテーション特徴についての、記述、レイアウト、方向、機能、及び組織化は、モバイルデバイスの子供による共有についての様々な実施及び／又は実現のために任意の態様で変更することができる例にすぎない。
【００１７】
[0015]図２は、モバイルデバイスの子供による共有の実施例を実施することができる例示的なシステム２００を示す。例示的なシステムは、キッズコーナー画面１１４及びチャイルドスペース１１８などのユーザーインターフェイスを表示することができる統合されたディスプレイデバイス１０２を備えた、図１を参照して説明したようなモバイルデバイス１００を含む。また、モバイルデバイスは、プロセッサー及び／又はメモリーシステムなどの様々なコンポーネントのほか、図１４に示される例示的なデバイスを参照してさらに説明されるような任意の数又は組み合わせの異なるコンポーネントを用いて実施して、モバイルデバイスの子供による共有の実施例を実現することができる。
【００１８】
[0016]モバイルデバイス１００は、任意の適切なメモリーデバイス又は電子データストレージなどのコンピューター読み取り可能な記憶媒体に格納されたソフトウェアアプリケーション（例えば、実行可能な命令）として実施することができる、デバイス共有サービス２０２を含む。また、デバイス共有サービス２０２は、本明細書に記載されるようなモバイルデバイスの子供による共有の実施例を実施するために、モバイルデバイスにおいて処理システムによって実行することができる。デバイス共有サービス２０２は、デバイスの多くのアプリケーション、特徴及び機能とインターフェイスするためにデバイス上で実
行可能な、独立したデバイスアプリケーションとして実施されてもよい。デバイス共有サービス２０２はまた、モバイルデバイスのオペレーティングシステム２０４と統合することができる。オペレーティングシステムはまた、クラウドベースのサービス及びローカルデバイスアプリケーション（例えば、デバイス共有サービス２０２）をオペレーティングシステムと統合するために実施される、ハブオペレーティングシステムサービスを含んでもよい。
【００１９】
[0017]例示的なシステム２００はまた、チャイルドスペース１１８のデバイスアプリケーション機能制限設定及びデバイスコンテンツアクセス制限設定を含むチャイルドシェアプロファイル２１０を格納又は保持するために使用される、任意のタイプのクラウドベースの（例えば、ネットワークベースの）データサービス２０８を含んでもよい、クラウドストレージ及びサービス（cloud storage and service）２０６を含む。確立されると、
チャイルドシェアプロファイルは、一般に、デバイスの（成人の）ユーザー所有者のユーザーアカウント内のアカウントである。チャイルドシェアプロファイルは、子供を持つデバイスのユーザー所有者のユーザーアカウントに関連付けられるデバイスアプリケーション及びデバイスコンテンツを共有するために確立することができる。単一のデバイスについて複数のチャイルドシェアプロファイル２１０が存在してもよく、その各々は複数の異なる子供のための異なる設定を含み、それぞれの子供は異なるチャイルドシェアプロファイルを有する。
【００２０】
[0018]チャイルドスペースは、キッズコーナーの複数の実施を含むことができ、必要に応じて、複数のチャイルドシェアプロファイルは、各々が、デバイス上のチャイルドスペースにおけるキッズコーナーの異なる実施に対応する。また、チャイルドシェアプロファイルは、モバイルデバイス１００から、チャイルドシェアプロファイルが保持されるクラウドストレージ及びサービス２０６に押し出すか引き出すことができる。チャイルドシェアプロファイルは、２つの異なるデバイスのいずれかを使用するときに子供がユーザーエクスペリエンスの連続性を有するように、大人のユーザー所有者の２つのデバイス（例えば、携帯電話及びタブレットデバイス）の間、又は２つの異なる親のデバイス（例えば、母親の携帯電話及び父親のタブレットデバイス）の間で同期したりするために、他のデバイスで使用することができる。
【００２１】
[0019]本明細書に記載される（例えば、サーバーデバイスとして実施される）任意のデバイス及びサービスは、有線及び／又は無線ネットワークを含むように実施することができるネットワーク２１２を介して通信することができる。ネットワークはまた、任意のタイプのネットワークトポロジー及び／又は通信プロトコルを使用して実施することができ、ＩＰベースのネットワーク及び／又はインターネットを含むように、２つ以上のネットワークの組み合わせとして表され、又は実施することができる。ネットワークはまた、通信サービスプロバイダー、携帯電話プロバイダー、及び／又はインターネットサービスプロバイダーなどの、モバイルネットワーク事業者及び／又は他のネットワーク事業者によって管理される移動体通信事業者のネットワークを含んでもよい。あるいは又はさらに、ピアツーピア通信技術を利用することができる。
【００２２】
[0020]デバイス共有サービス２０２は、デバイスアプリケーションを限定及び／又は制限し（例えば、制限されたデバイスアプリケーション２１８）、並びにデバイスコンテンツへのアクセスを限定及び／又は制限する（例えば、制限されたデバイスコンテンツ２２０）ためのペアレンタルコントロール設定などの、指定された制限限度２１６を含む、チャイルドシェアモード２１４を管理するように実施される。モバイルデバイス１００のユーザー所有者、通常、子供の親は、チャイルドシェアモードがアクティブである間にチャイルドスペースにおいて子供やゲストがアクセスできる、デバイスのアプリケーション及び機能並びに／又はデバイスコンテンツを選択することができる。さらに、デバイスアプ
リケーションは、チャイルドスペースでの実行している間の機能のレベルの制限を許可することができるが、一般的には、連絡先、電子メール、カレンダデータベースなどの制限されたデバイスコンテンツにアクセスすることができないほか、デバイスファイルシステムへのアクセスが制限される。コンテンツデータベース、デバイスファイルシステム、インターネットアクセス、アプリケーションプログラミングインターフェイス（ＡＰＩ）、並びに他の許可されたデバイスコンテンツ及び機能のセットは、制限された実行モードがデバイス上でアクティブになったとき、デバイスアプリケーションのアクセスから保護することができる。例えば、子供がチャイルドスペースにおいてデバイスアプリケーションにアクセスすることを親が許可する場合に、インターネット、電子メール、連絡先等にアクセスすることができるデバイスアプリケーションは、自動的に制限することができる。制限された実行モードは、アプリケーションタスクのサブセットへのナビゲーションを制限し（例えば、子供のゲームのみにアクセスし、電子メールアプリケーションにアクセスしない）、アプリケーション自体のエクスペリエンスを制限する。例えば、デジタルカメラアプリケーションは、ユーザーが新しい写真を撮って見ることができるようにするが、以前の写真は閲覧が制限される。
【００２３】
[0021]チャイルドスペース１１８のユーザーインターフェイススタート画面は、子供について及び／又はデバイスのユーザー所有者によってカスタマイズ可能である。例えば、アプリケーションが認識され、チャイルドスペースにおいて起動できるように、親は、ゲームや音楽などのためのアプリケーションをチャイルドスペースに追加することができる。しかし、チャイルドスペースにおいて認識されないアプリケーションは、チャイルドスペースで起動することはできない。例えば、チャイルドスペースに固定された（ピン留めされた、pinned）ゲームアプリケーションがブラウザーアプリケーションを起動しようとする場合、デバイス共有サービス２０２は、ブラウザーアプリケーションがチャイルドスペースにおいて固定されて認識されているか否かをチェックする。アプリケーションがそうでない場合、デバイス共有サービスはアプリケーションを起動できず、アプリケーションが認識される場合、アプリケーションはチャイルドスペースにおいて起動することができる。
【００２４】
[0022]図１を参照して説明したように、ジェスチャー入力又は選択可能な制御入力などの入力が受け取られてもよく、デバイス共有サービス２０２は、通常、デバイスロック画面上で入力されたＰＩＮコードを受け取ることなく、チャイルドロック画面１１０を表示するために、デフォルトのデバイスロック画面１０４の表示からの遷移を開始する。チャイルドスペース１１８を表示するためにチャイルドロック画面１１０の表示から遷移するための、別のジェスチャー入力などの第２の入力が受け取られてもよく、デバイス共有サービス２０２はチャイルドシェアモード２１４をアクティブにする。実施例では、チャイルドシェアモードは、デバイスアプリケーション機能制限設定及びデバイスコンテンツアクセス制限設定を含むチャイルドシェアプロファイル２１０に基づいてアクティブにすることができる。
【００２５】
[0023]デバイス共有サービス２０２はまた、チャイルドシェアモード２１４がアクティブにされるときに、モバイルデバイス１００のデバイス設定２２２を管理するように実施される。デバイス設定は、デバイスボタン設定２２４及びオーディオ設定２２６のほか、任意の他のタイプのモバイルデバイスの構成及び設定を含んでもよい。例えば、子供が誤って別のデバイスモードを開始したり、デバイスアプリケーションを開始したりすることを避けるために、デバイス共有サービス２０２は、チャイルドシェアモード２１４における容量性（capacitive）デバイスボタン２２８を無効にしてもよい。チャイルドシェアモードの起動中、子供が音量（例えば、ハードウェアボタン）を調整したり、ソフトウェアコントロールを変更したりすることができないように、ボタン及び／又はユーザー入力の作動を選択的に止めたり変更したりしてもよい。これはまた、チャイルドシェアモード２
１４がデバイス上でアクティブにされるときに子供がデバイスを使用することをより容易にすることができる。
【００２６】
[0024]モバイルデバイス１００上のモバイルデバイスの子供による共有の設定及び活性化は、モバイルデバイスの子供による共有の広範な「制限」機能として、ソフトウェアを介してハードウェアコントロールをロックすること及び／又は無効にすることを含んでもよい。ハードウェアロック機能は、デバイスを、デバイスの前面にある容量性デバイスボタン（例えば、容量性ボタン２２８）が無効にされる状態にするように、モバイルデバイス１００のユーザー所有者がハードウェアボタンの組み合わせを押すことができることを規定する。その後に、ハードウェアボタンの同じ組み合わせ（又は別の所定の組み合わせ）を押すと、デバイスのボタンが再度有効になる。あるいは、又は加えて、ユーザー所有者は、モバイルデバイスを、画面上のソフトウエアボタンをタップすることによって、デバイスの前面にある容量性デバイスボタンが無効にされる状態にし、ソフトウェアボタンを再度押して、デバイスのハードウェアボタンを再び有効にすることができる。
【００２７】
[0025]デバイス共有サービス２０２はまた、チャイルドシェアモード２１４がアクティブである間に子供がモバイルデバイスのデジタルカメラ１２２で写真２３２を撮ることを可能にするキッズカメラ２３０（例えば、カメラアプリケーション及びデバイスカメラの許可されたカメラ機能）に子供がアクセスすることを可能にするように実施される。しかし、デバイス共有サービス２０２は、チャイルドシェアモードがアクティブにされる間、クラウドストレージ及びサービス２０６へのデジタル写真のアップロードを制限し、子供の写真２３２はモバイルデバイス上の指定された写真スペースに格納されてもよい。子供の写真２３２は、チャイルドシェアモードでモバイルデバイスを使用するときに子供が撮影した単なる写真として保存することができる。さらに、子供は、デバイスのユーザー所有者の写真の閲覧やアクセスを制限され得る。
【００２８】
[0026]モバイルデバイス１００におけるデバイス共有サービス２０２はまた、チャイルドシェアモード２１４がアクティブにされる間に着信電話や発信電話を、（緊急呼び出しを発呼する可能性を除いて）それらを全く許可しないこと、着信電話に出たり発信電話を発呼したりするのにＰＩＮを要求することなどによって、制限するように実施することができる。あるいは、又は加えて、モバイルデバイスにおけるデバイス共有サービスは、チャイルドシェアモードがアクティブにされている間にヘッドセットがモバイルデバイスのヘッドセットポートに接続されていたり、通常の音量がオフに切り替えられたり低レベルに設定されたりしていたとしても、着信電話を示す着信音がモバイルデバイスの内蔵スピーカーを介して予めセットされた（例えば、高い）音量で聞こえるように再生されることを可能にしてもよい。これは、既存のシステムを使用して自分の電話を共有している親がもつ共通の不満を回避するのに役立つ。例えば、いくつかの既存のシステムで、子供はヘッドホンを使用したり自分の親のデバイス上の音を下げたりするかもしれず、親は、デバイスのヘッドフォンを取り外したり音量を大きく戻したりするのを忘れると、電話を取り戻したときに電話呼を聞き逃してしまう。
【００２９】
[0027]このような既存のシステムにおいては、親はまた、子供がデバイスを使用している間に電話呼を逃す可能性がある。例えば、電話が子供へと鳴るだけで、子供が着信の存在を親に伝えないことがある。本明細書に記載されるシステムによれば、デバイスがヘッドフォンを用いて子供によって使用されていたり、子供が内蔵スピーカーの音量を下げたりしていても、着信電話は、チャイルドスペースにおいてデバイスを使用するときに子供が設定し得る音量ではなく、親が設定した音量で統合されたスピーカーを介して聞こえるように鳴る。チャイルドシェアモードがアクティブにされるときに、新たなテキストメッセージの通知、カレンダーのリマインダー、又は新たな電子メールの通知などの他の通知についての音や他のインジケーターを親に提供するために、同様の音量調整をデバイス共
有サービスによって行うことができる。
【００３０】
[0028]モバイルデバイス１００上のモバイルデバイスの子供による共有の設定及び活性化は、ユーザー所有者にとって重要な音を制御するためのオーディオ設定２２６を含み、子供はチャイルドスペースにおいて自分にとって重要な音を制御する。例えば、音量ロッカーキー（rocker key）や同様の音量コントロールが、音楽、ビデオ、ゲームなどのメディアコンテンツの再生の音量にだけ影響を与えるように制限されてもよい。音量ロッカーや同様の音量コントロールは、チャイルドスペースにおける他のシステムの音（例えば、着信音の音量、又は他の通知の音量）に影響を与えることを制限することができ、これらのシステムの音は、代わりに、ユーザー所有者が設定した音量で再生されてもよいし、ヘッドホンがデバイスに接続されていてもデバイスに統合されたスピーカーを介して再生されてもよい。チャイルドシェアモード２１４がアクティブにされる間に、トースト（toasts）、リマインダー、アラームなどの通知がチャイルドスペースにおいて現れないないように、ユーザー所有者はまた、これらの通知を管理するようにデバイス共有サービス２０２を設定することができる。リマインダーや通知は、画面がオフモードにある場合などに、ロック画面上で待ち行列に入れられてもよい。
【００３１】
[0029]モバイルデバイス１００におけるデバイス共有サービス２０２は、デバイスの電源ボタンへのユーザー入力などの、モバイルデバイス１００に対する事前に定義された入力を受け取るように実施され、デバイス共有サービス２０２は、次いでチャイルドシェアモード２１４を無効にすることができる。デバイス共有サービス２０２は、モバイルデバイスの統合されたディスプレイデバイス１０２上のデフォルトのデバイスロック画面１０４の表示を、通常のユーザーモードが復元されたことを示すものとして、再開することができる。デバイス共有サービス２０２はまた、モバイルデバイスのオーディオ設定２２６をチャイルドシェアモード２１４の活性化の前に指定された音量レベルへと復元するように実施される。
【００３２】
[0030]例示的な方法３００、４００、及び５００は、モバイルデバイスの子供による共有の１つ又は複数の実施例による、それぞれ図３−５を参照して説明される。一般に、本明細書に記載された任意のサービス、コンポーネント、モジュール、方法、及び動作は、ソフトウェア、ファームウェア、ハードウェア（例えば、固定論理回路）、手動処理、又はこれらの任意の組み合わせを用いて実現することができる。例示的な方法は、コンピューター処理システムに対してローカル及び／又はリモートのコンピューター読み取り可能な記憶媒体に格納された実行可能命令の一般的な文脈で説明することができ、実施例は、ソフトウェアアプリケーション、プログラム、関数などを含んでもよい。
【００３３】
[0031]図３は、モバイルデバイスの子供による共有の例示的な方法３００を示す。方法を説明する順序は、限定として解釈されることを意図されず、任意の数又は組み合わせの方法の動作を、方法又は代替の方法を実施するために任意の順序で組み合わせることができる。
【００３４】
[0032]３０２において、デフォルトのデバイスロック画面が、モバイルデバイスの統合されたディスプレイデバイスに表示される。例えば、モバイルデバイス１００（図１）は、モバイルデバイスの統合されたディスプレイデバイス１０２上にデフォルトのデバイスロック画面１０４を表示する。３０４において、入力が受け取られ、これに応答して、ディスプレイは、デフォルトのデバイスロック画面の表示からチャイルドロック画面の表示へ遷移する。例えば、モバイルデバイス１００の入力システムは、ジェスチャー入力や選択可能な制御入力などの入力を受け取り、当該入力は、チャイルドロック画面１１０を表示するためにデフォルトのデバイスロック画面１０４の表示から遷移するのに有効である。
【００３５】
[0033]３０６において、チャイルドロック画面は、デフォルトのデバイスロック画面上で入力されるＰＩＮコード又は他の識別子を受け取ることなく表示される。例えば、モバイルデバイス１００は、（３０２において）デフォルトのデバイスロック画面を表示し、モバイルデバイスの統合されたディスプレイデバイス１０２にチャイルドロック画面１１０を表示するように遷移する。モバイルデバイス１００におけるデバイス共有サービス２０２は、デフォルトのデバイスロック画面で入力されるＰＩＮコードを受け取ることなく、デフォルトデバイスロック画面の表示からチャイルドロック画面への遷移を開始するように実施される。３０８において、入力が受け取られ、それに応答して、ディスプレイは、チャイルドロック画面の表示から、チャイルドスタート画面などのチャイルドスペースへ遷移する。例えば、モバイルデバイス１００の入力システムは、ジェスチャー又は選択可能な制御入力などの入力を受け取り、当該入力は、チャイルドスペース１１８を表示するためにチャイルドロック画面１１０の表示から遷移するのに有効である。ここでも、この遷移はＰＩＮコードや他の識別子の受け取りを必要とせずに行うことができる。
【００３６】
[0034]３１０において、指定された制限限度に基づいてデバイスアプリケーションの機能及び／又はデバイスコンテンツへのアクセスを制限する、モバイルデバイスのチャイルドシェアモードがアクティブにされる。例えば、モバイルデバイス１００におけるデバイス共有サービス２０２は、チャイルドシェアモード２１４をアクティブにし、指定された制限限度２１６に基づいて、制限されたデバイスアプリケーション２８１の機能を制限し、制限されたデバイスコンテンツ２２０へのアクセスを制限する。チャイルドシェアモードは、デバイスアプリケーション機能制限設定及びデバイスコンテンツアクセス制限設定を含むチャイルドシェアプロファイル２１０に基づいてアクティブにすることができる。制限された実行モードについて本明細書に記載された態様及び特徴（例えば、図９−１３）は、制限されたデバイスアプリケーション２８１の機能を制限し、制限されたデバイスコンテンツ２２０に対するアクセスを制限するために、デバイスの子供が共有するスペースに関連付けられる制限された実行モードとして、チャイルドシェアモードをサポート及び実施するために利用することができる。
【００３７】
[0035]デバイスアプリケーションの機能を制限する例は、デバイスアプリケーションが起動されることをまったく許可しないことや、モバイルデバイスが通常のユーザーモードで実行されているときにアプリケーションにとって利用可能なＡＰＩ呼び出しの通常のセットよりも狭いＡＰＩ呼び出しの制限されたサブセットのみを呼び出すことへとデバイスアプリケーションを制限することを含んでもよい。デバイスコンテンツへのアクセスを制限することは、データ又はコンテンツの特定のセットへのアクセスを提供する特定のＡＰＩ呼び出しを許可しないことを含んでもよい。多くの例では、機能やアクセスを制限することは、アクセス制御リスト（ＡＣＬ）、アクセス制御エントリー（ＡＣＥ）、又はファイルシステムによって保持される同様のファイルシステムのアクセス制御メタデータを分析又は変更することを含まない。
【００３８】
[0036]図４は、モバイルデバイスの子供による共有の例示的な方法４００を示す。方法を説明する順序は、限定として解釈されるように意図されず、任意の数又は組み合わせの方法の動作を、方法又は代替の方法を実施するために任意の順序で組み合わせることができる。
【００３９】
[0037]４０２において、モバイルデバイスの容量性デバイス入力ボタンは、チャイルドシェアモードにおいて無効にされる。例えば、モバイルデバイス１００におけるデバイス共有サービス２０２（図２）は、子供が誤って別のデバイスモードを開始したりデバイスアプリケーションを開始したりすることを避けるように、チャイルドシェアモード２１４において容量性デバイスボタン２２８を不活性化する。
【００４０】
[0038]４０４において、デバイスのカメラアプリケーションへのアクセスがデジタル写真を撮影するために許可され、４０６において、クラウドストレージへのデジタル写真のアップロードがチャイルドシェアモード中制限される。例えば、モバイルデバイス１００におけるデバイス共有サービス２０２は、キッズカメラ２３０（例えば、デバイスのカメラアプリケーション）へのアクセスを許可し、これは、チャイルドシェアモード２１４がアクティブにされる間にモバイルデバイスのデジタルカメラ１２２で子供が写真２３２を撮ることを可能にする。しかし、デバイス共有サービスは、チャイルドシェアモードがアクティブにされる間、クラウドストレージ及びサービス２０６へのデジタル写真のアップロードを制限する。
【００４１】
[0039]４０８において、着信電話がチャイルドシェアモード中に制限され、代替的に又は加えて、４１０において、チャイルドシェアモード中にヘッドセットがモバイルデバイスのヘッドセットポートに接続される間、着信電話の可聴報知音が、モバイルデバイスの統合されたスピーカーを介して提供される。例えば、モバイルデバイス１００におけるデバイス共有サービス２０２は、着信呼を開始するのにＰＩＮを要求したり、いかなる着信呼も自動的に拒否したりすることなどによって、チャイルドシェアモード２１４がアクティブにされる間、着信電話の受け入れを制限する。代替的に又は加えて、デバイス共有サービス２０２は、チャイルドシェアモードがアクティブにされる間にヘッドセットがモバイルデバイスのヘッドセットポートに接続される間、着信電話の可聴報知音がモバイルデバイスの統合されたスピーカーを介して提供されることを可能にする。４０８及び４１０の動作はまた、着信テキストメッセージ、電子メール、カレンダーのアラートなどの、他のタイプの着信通信の可聴通知を制限したり提供したりするように行うことができる。
【００４２】
[0040]図５は、モバイルデバイスの子供による共有の例示的な方法５００を示す。方法を説明する順序は、限定として解釈されるように意図されず、任意の数又は組み合わせの方法の動作を、方法又は代替の方法を実施するために任意の順序で組み合わせることができる。
【００４３】
[0041]５０２において、モバイルデバイスの選択可能なコントロールに対する入力が受け取られ、５０４において、選択可能なコントロールへの入力の受け取りに応答して、チャイルドシェアモードが非アクティブ化される。例えば、デバイスの電源ボタンについてのユーザー入力などのモバイルデバイス１００に対する入力が受け取られ、デバイス共有サービス２０２は、選択可能なコントロールへの入力を受け取ることに応答して、チャイルドシェアモード２１４を非アクティブ化する。
【００４４】
[0042]５０６において、デフォルトのデバイスロック画面の表示が再開される。例えば、（図３の３０２において）モバイルデバイス１００におけるデバイス共有サービス２０２は、モバイルデバイスの統合されたディスプレイデバイス１０２上でのデフォルトのデバイスロック画面１０４の表示を再開する。５０８において、モバイルデバイスのオーディオ設定は、チャイルドシェアモードの活性化前に指定された音量レベルに復元される。例えば、モバイルデバイス１００におけるデバイス共有サービス２０２は、モバイルデバイスのオーディオ設定２２６を、チャイルドシェアモード２１４の活性化前に指定された音量レベルに復元する。
【００４５】
[0043]図６は、モバイルデバイス１００上でのモバイルデバイスの子供による共有の設定及び活性化の例６００を示す。例えば、モバイルデバイスのユーザーは、設定ユーザーインターフェイス６０２から、チャイルドシェアスペース（例えば、「キッズコーナー」）の設定を開始することができる。コンテンツユーザーインターフェイス６０４において、ユーザーは、どのゲーム、音楽、ビデオ、アプリケーション、及びウェブサイトがチャ
イルドシェアスペースにおいて利用できるようになるかを選択することができる。例えば、ユーザーは、コンテンツユーザーインターフェイス６０４からチャイルドシェアスペースにゲームを追加することを選択することができ、ゲームユーザーインターフェイス６０６から特定のゲームを選択することができる。ゲームの選択が終了すると、コンテンツユーザーインターフェイス６０４は、６０８において、３つのゲームがチャイルドシェアスペースに追加されたことを示す。ＰＩＮロックユーザーインターフェイス６１０において、ユーザーは、必要に応じて、スタート画面へのアクセスを制限するためにＰＩＮロックを設定することができ、及び／又は、必要に応じて、チャイルドシェアモードがモバイルデバイス上でアクティブにされるときに許可されていない購入を防ぐために、購入ＰＩＮロックを設定することができる。
【００４６】
[0044]図７は、モバイルデバイス１００上でのモバイルデバイスのチャイルドシェア設定及び活性化の例７００を示す。例えば、モバイルデバイス上に表示されたスタート画面７０２から、ユーザーは、「キッズコーナー」タイルを選択する（例えば、タップ入力）ことができる。チャイルドシェアスペース（例えば、「キッズコーナー」）がデバイスにおいて既に設定されている場合、図６を参照して説明したように、設定ユーザーインターフェイス７０４が表示され、ユーザーは、そこから、チャイルドシェアスペースをオン又はオフにしたり、チャイルドシェアスペースを起動したりすることができる。チャイルドシェアスペースがデバイス上で設定されていない場合、図６を参照して説明したように、ユーザーはチャイルドシェアスペースを設定し、アクティブにすることができる。
【００４７】
[0045]図８は、さらに、モバイルデバイスの子供による共有の実施例においてコンテンツを管理する例８００を示す。例えば、システムアプリケーションユーザーインターフェイス８０２から、ユーザーは、（図６を参照して説明した）コンテンツユーザーインターフェイス６０４、ゲームユーザーインターフェイス６０６及び／又はアプリケーションユーザーインターフェイス８０４にアクセスすることができ、ユーザーは、そこから、チャイルドシェアスペースに追加するデバイスアプリケーションを選択することができる。ゲームやアプリケーションのユーザーインターフェイスから選択可能なゲームやアプリケーションはまた、購入されたりダウンロードされたりしたゲームやアプリケーションであってもよく、及び／又は、モバイルデバイス上のチャイルドシェアスペースでの使用のために特に設計されたゲームやアプリケーションであってもよい。例えば、１０代（ティーン）の評価を有するゲームアプリケーションは、チャイルドシェアスペースでの使用のために、より子供に適切なように設計することもできる。実施例では、チャイルドシェアスペースに追加されたゲーム、アプリケーション、及び他のコンテンツを子供と共有することを容易にするためにデバイスのチャイルドシェアスペースをサポートし、実施するために、制限された実行モードが利用されてもよい。チャイルドシェアスペースでは、子供のアクセスが、制限された実行モードによって、親が選択したアプリケーション、ゲーム、音楽、ビデオ、映画及び他のコンテンツのみに制限される。キッズコーナーの外側の設定及びコンテンツのすべてが保護され、キッズコーナーにいる間、購入をブロックすることができる。
【００４８】
[0046]図９は、制限された実行モードのユーザーインターフェイスの例を示す。例示的なモバイルデバイス９００は、携帯電話、タブレットデバイス、コンピューティングデバイス、通信、エンターテイメント、ゲーム、ナビゲーション、及び／又は他のタイプの携帯型電子デバイスのうちの任意の１つ又は組み合わせであってもよい。共有スペースは、パスワードなしでのデバイスアプリケーションの機能へのユーザーアクセスのためのほか、共有スペースにおいてユーザーによって指定されるモバイルデバイス９００の任意のアプリケーション、機能及び特徴へのアクセスのために、実施することができる。
【００４９】
[0047]例示的なモバイルデバイス９００は、９０６においてデバイスがロックされるこ
とを示すデバイスロック画面９０４などのユーザーインターフェイスを表示することができる、統合されたディスプレイデバイス９０２を含む。例えば、モバイルデバイスのユーザー所有者は、個人識別番号（ＰＩＮ）、ログイン、又は他の認証資格情報などの認証資格情報を提供することなく、他の誰かが、電子メールやテキストなどのアプリケーションの完全な機能にアクセスしたり、及び／又は、ブラウザーアプリケーションを介してインターネットにアクセスしたりすることができないように、使用されないときにデバイスをロックするように設定してもよい。
【００５０】
[0048]モバイルデバイス９００のユーザー所有者は、別の人が電話を使用し、ＰＩＮや他の資格情報を入力することによってデバイスロック画面９０４からデバイスをロック解除する必要なしに電話を渡すことを可能にする。例９０８に示されるように、電話を借りた人は、ディスプレイデバイスに表示されるときに９１２で示される共有スペースユーザーインターフェイス９１０にアクセスするためにジェスチャー入力によってデバイスロック画面をスワイプすることができ、これにより、アプリケーション機能についての制限されたサブセットへのアクセスが提供される。借り手は、共有スペースユーザーインターフェイスにアクセスするためにＰＩＮや他の資格情報を入力しない。実施例では、ジェスチャー入力は、モバイルデバイスの統合されたディスプレイデバイス９０２上での任意の方向の任意のタイプのユーザー及び／又はジェスチャー入力であってもよい。代替的に又は加えて、任意のタイプのデバイス、ボタン、及び／又はジェスチャー入力は、デバイスロック画面９０４から共有スペースユーザーインターフェイス９１０へ遷移するために有効に利用することができる。
【００５１】
[0049]制限された実行モードは、ゲストや子供がパスワードを必要とせずにアクセスできるデバイスアプリケーションをユーザー所有者が含めてもよい、デバイス上の共有スペースの実施を可能にし、デバイスアプリケーションは、デバイス上の他のプライベートなデバイスコンテンツにアクセスできるようになることを、プログラムで防止される。
【００５２】
[0050]デバイスのユーザー所有者が、ＰＩＮコードや他の認証資格情報を用いて電話をロック解除することなく、自分の携帯電話上のいくつかのコンテンツやアプリケーションへアクセスすることを望む状況があり得る。制限された実行モードは、ユーザー所有者が、いくつかのエクスペリエンスを、パスワードアクセスなしで、及び機密性の高い個人又は企業のデータのセキュリティを損なうことなく、利用できるようにすることを可能にする。実施例では、制限された実行モードは、アプリケーションが実行することを可能にするが、セキュリティ機能、ブロックされたナビゲーション、及びアプリケーションの原点（application origin）などのいくつかのメカニズムを使用して、機密のデータやエクスペリエンスへのアクセスを制限する。アプリケーションが特定のセキュリティ機能を有する場合、保護されたリソースにアプリケーションがアクセスすることを試みるときにランタイムチェックが中心で（centrally）なされ、制限された実行領域内でアプリケーショ
ンが実行される場合、アプリケーションによって処理できるエラーが返される。デバイスが制限された実行モードで実行している場合、デバイスアプリケーションは、制限された実行「ゾーン」で実行していると呼ばれてもよい。
【００５３】
[0051]ブロックされたナビゲーションセキュリティ機能について、アプリケーションは、多くの場合、電子メールを送信したり、電話をかけたりするなどのユーザーアクションを達成するために、組み込みタスク（ビルトインタスク、built in tasks）を利用する。制限された実行モードがデバイス上でアクティブにされるとき、ランタイムにおけるデバイスアプリケーションタスクの発生は、デバイスアプリケーション、及びより具体的にはタスクが許可されるかどうかを判定するために考えられるものである。アプリケーションプログラミングインターフェイス（又はＡＰＩ）呼び出しと概ね同義であるアプリケーションタスクは、データアクセスＡＰＩ呼び出しの側面を含んでもよいが、それはまた、デ
ータアクセスとは異なる特定の１つ又は複数のアクションを開始する要求を含み、タスク要求は、要求されたタスクのアクションに関連付けられるメタデータを含んでもよい。機能のレベルは、要求されたタスクのアクションがタスク要求のランタイム開始中に制限された実行モードで利用可能であるかどうかを判断するために、タスクごとに提供される。デバイスアプリケーションはデバイスによって実行することができるが、制限された実行モードがデバイス上でアクティブにされるとき、デバイスアプリケーションの一部の機能のみが実行される。
【００５４】
[0052]デバイスアプリケーションの機能を制限することの例は、デバイスアプリケーションが完全に起動されることを許可しないことや、モバイルデバイスが通常のユーザーモードで実行されるときにアプリケーションにとって利用可能なＡＰＩ呼び出しの通常のセットよりも狭いＡＰＩ呼び出しの制限されたサブセットのみの呼び出しに、デバイスアプリケーションを制限することを含む。デバイスコンテンツへのアクセスを制限することはまた、データ又はコンテンツの特定のセットへのアクセスを提供する特定のＡＰＩ呼び出しを拒否することを含んでもよい。多くの例では、機能やアクセスを制限することは、アクセス制御リスト（ＡＣＬ）、アクセス制御エントリー（ＡＣＥ）、ファイルシステムによって保持される同様のファイルシステムアクセス制御メタデータを分析したり変更したりすることを含まない。例えば、制限された実行モードがデバイス上でアクティブにされている間、デバイスアプリケーションはデバイスコンテンツへのアクセスを制限することができる。
【００５５】
[0053]制限された実行ゾーンで実行する場合、ナビゲーションを要求されたすべてのアプリケーションがスクリーニングされ、システムによって許可されたものだけが継続することができる。他のものは、制限された実行ゾーンでの実行のためにレガシーアプリケーションを更新する必要がないように、下位互換性のある方法で失敗する。アプリケーション原点セキュリティ機能（application origin security capability）については、開始及び／又はファーストパーティのプロバイダーからダウンロードされたアプリケーションのみが、制限された実行モードで実行することができる。これにより、セキュリティチェックがなされておらず、デバイス上の機密データ及び／又はプライベートデータにアクセスし得るアプリケーションが、ユーザーが最初にデバイスをロック解除することなく実行されないことが保証される。
【００５６】
[0054]図１０は、制限された実行モードの実施例を実施することができる例示的なシステム１０００を示す。例示的なシステムは、図９を参照して説明したようなモバイルデバイス９００を含み、デバイス上の共有スペースを表す共有スペースユーザーインターフェイス９１０などのユーザーインターフェイスを表示することができる、統合されたディスプレイデバイス９０２を備える。また、モバイルデバイスは、制限された実行モードの実施例を実施するために、プロセッサー及び／又はメモリーシステムなどの様々なコンポーネントのほか、図１４に示す例示的なデバイスを参照してさらに説明するような、任意の数及び組み合わせの様々なコンポーネントを用いて実施することができる。
【００５７】
[0055]モバイルデバイス９００は、任意の適切なメモリーデバイスや電子データストレージなどのコンピューター読み取り可能な記憶媒体上に格納されたソフトウェアアプリケーション（例えば、実行可能な命令）として実施することができる、制限された実行サービス１００２を含む。また、制限された実行サービス１００２は、本明細書に記載されるような制限された実行モードの実施例を実施するために、モバイルデバイスにおける処理システムを用いて実行することができる。制限された実行サービス１００２は、デバイスの多くのアプリケーション、特徴及び機能とインターフェイスするためにデバイス上で実行可能な独立したデバイスアプリケーションとして実施されてもよい。
【００５８】
[0056]例示的なシステム１０００はまた、アクセス可能なデータ１０１０（例えば、モバイルデバイス９００上のデバイスアプリケーションによってアクセス可能なデータ）を格納したり維持するために使用される任意のタイプのクラウドベース（例えば、ネットワークベース）のデータサービス１００８を含むことができるクラウドストレージ及びサービス１００６を含んでもよい。本明細書に記載される（例えば、サーバーデバイスとして実施される）任意のデバイス及びサービスは、有線及び／又は無線ネットワークを含むように実施することができるネットワーク１０１２を介して通信することができる。ネットワークはまた、ＩＰベースのネットワーク及び／又はインターネットを含むように、任意のタイプのネットワークトポロジー及び／又は通信プロトコルを使用して実施することができ、２つ以上のネットワークの組み合わせとして表されるか、又は、そうでなければ実施することができる。ネットワークはまた、通信サービスプロバイダー、携帯電話プロバイダー、及び／又はインターネットサービスプロバイダーなどの、移動体通信事業者及び／又は他のネットワーク事業者によって管理される移動体通信事業者のネットワークを含んでもよい。代替的に又は加えて、ピアツーピア通信ネットワークを用いて接続される複数のデバイスなどの、ピアツーピア通信技術を利用してもよい。
【００５９】
[0057]ＰＩＮや認証資格情報なしにアクセス可能な共有スペース１０１６に含まれるデバイスアプリケーション１０１９及び共有デバイスアプリケーション１０２０を限定及び／又は制限するなど、共有スペース１０１６の制限された実行モード１０１４を管理するために、制限された実行サービス１００２が実施される。デバイスアプリケーション１０１９は、メッセージ、ゲーム、メディア再生、文書閲覧、及び通信のアプリケーションとのユーザーのインタラクションなどのためにデバイス上で動作する、任意のタイプのソフトウェアアプリケーション並びにそれらの機能及び特徴を含むことができる。デバイスアプリケーションはまた、デバイスのユーザーが一般的にアクセスしたり利用したりしないが、通常、デバイスが動作している間にバックグラウンドで実行される、システムレベルのコンポーネントを含んでもよい。共有デバイスアプリケーションは、デバイスアプリケーションの任意のサブセットを含むことができ、制限された実行モード１０１４がデバイス上でアクティブにされるときに限定された及び／又は制限された機能について共有スペース１０１６に含まれる場合に、共有デバイスアプリケーションとして指定される。
【００６０】
[0058]モバイルデバイス９００のユーザー所有者は、共有スペースに含めることができ、制限された実行モードがアクティブにされる間に子供やゲストがアクセスできる、デバイスアプリケーション及び特徴、及び／又はデバイスコンテンツを選択することができる。さらに、デバイスアプリケーションは、共有スペースにおいて実行される間（すなわち、アプリケーションを実行することができる）、制限された機能のレベルを許可されてもよいが、一般的に、連絡先、電子メール、及びカレンダーデータベースなどへのアクセスが制限され、並びにデバイスのファイルシステムへのアクセスが制限される、デバイスコンテンツ１０２２にアクセスすることができない。
【００６１】
[0059]制限された実行モードがアクティブにされるとき、コンテンツデータベース、デバイスファイルシステム、インターネットアクセス、及び他のデバイスコンテンツ及び特徴は、デバイスアプリケーションのアクセスから保護することができる。例えば、デバイスがロック解除されて通常のユーザーモードで動作しているときに、インターネット、電子メール、連絡先などにアクセスできるデバイスアプリケーションは、デバイスアプリケーションが共有スペースに追加されており共有スペースにおいて限られた機能を許可される場合など、制限された実行モードがアクティブにされる場合に、自動的に制限される。例として、共有スペースに追加されたデジタルカメラアプリケーションは、ユーザーが新しい写真を撮って閲覧することを可能にし得るが、以前の写真は、制限された実行モードがデバイス上でアクティブにされるとき、閲覧を制限される。
【００６２】
[0060]共有スペースの共有スペースユーザーインターフェイス９１０は、デバイスのユーザー所有者によってカスタマイズ可能である。例えば、ユーザー所有者は、アプリケーションが認識され、場合によっては機能が制限されて共有スペースにおいて起動することができるように、共有スペースに、ゲームや音楽アプリケーションなどのアプリケーションを追加することができる。しかし、共有スペースにおいて認識されないアプリケーションは、共有スペースにおいて起動することができない。例えば、共有スペースにおいて固定（ピン留め）又は認識されるゲームアプリケーションが、それ自体が（例えば、ゲームの実行の一部として）ブラウザーアプリケーションを起動することを試みる場合、制限された実行サービス１００２は、ブラウザーアプリケーションが共有スペースにおいて固定されて認識されるかどうかをチェックする。ブラウザーアプリケーションが共有スペースにおいて認識されない場合、制限された実行サービスはアプリケーションを起動することができず、また、ブラウザーアプリケーションが認識される場合、ブラウザーアプリケーションはゲームアプリケーションによって共有スペースにおいて起動することができる。
【００６３】
[0061]図９を参照して説明されるように、ジェスチャー入力又はデバイス選択可能な制御入力などの入力を受け取ることができ、制限された実行サービス１００２は、デバイスロック画面上で入力されるＰＩＮコードや他の認証資格情報を受け取ることなしに、共有スペース１０１６の共有スペースユーザーインターフェイス９１０を表示するために、デバイスロック画面９０４の表示からの遷移を開始する。制限された実行サービス１００２は、制限された実行モード１０１４がアクティブにされるとき、共有スペース１０１６を管理するように実施される。制限された実行サービス１００２は、モバイルデバイス９００の制限された実行モード１０１４をアクティブにすることができ、デバイスコンテンツ１０２２に、モバイルデバイスのファイルシステムに、デバイスアプリケーション１０１８のアクセスを制限することができ、及び／又は、制限された実行モードがアクティブにされる間、アプリケーションを、機能やタスクの限定されたセットに制限することができる。
【００６４】
[0062]共有スペース１０１６は共有デバイスアプリケーション１０２０を含むことができ、制限された実行サービス１００２は、制限された実行モード１０１４がアクティブにされる間、共有デバイスアプリケーションにデバイスコンテンツ１０２２へのアクセスを許可してもよい。制限された実行サービス１００２は、デバイスアプリケーションが共有デバイスアプリケーションとして共有スペース１０１６に含まれる場合にデバイスコンテンツへのアクセスをデバイスアプリケーションに許可することをユーザーが指定することができるように、デバイスアプリケーション１０１８が実施又は設計されるかどうかを決定することができる。代替的に、デバイスアプリケーションが共有スペースに含まれる場合であっても、デバイスアプリケーションは、デバイスコンテンツへのアクセスを許可されないように設計することができる。また、このタイプのデバイスアプリケーションはまた、共有スペースに含めるというユーザーの指定に適格ではないとして実施されてもよい。
【００６５】
[0063]制限されたモードでは、デバイスアプリケーションがこれまでにユーザー選択に関係なく、制限されたモードで動作（例えば、実行）することが許可されているかどうかを示すように、デバイスアプリケーションの構成を設計又はプログラムすることができる。例えば、企業の機密アプリケーションや、企業のプライベートデータにアクセスすることができるサードパーティのアプリケーションストアからダウンロードされる別のアプリケーションは、ユーザーが望んでいる場合であっても、いかなる制限されたモードにおいても動作（例えば、実行）することが許可されないように構成することができる。いくつかのデバイスアプリケーションの構成は、ゲームやアプリケーションのサブセットをキッズゾーンの制限されたモードで許可したり、電話がロックされているときにカメラレンズアプリケーションのサブセットが動作することを許可したりするなど、デバイスアプリケ
ーションが特定の制限されたモードで動作することを許可されるべきかどうかを示すように、ユーザーによって制御されてもよい。
【００６６】
[0064]制限された実行サービス１００２はまた、現在の制限されたモード、目標のアプリケーションのシステム、及びユーザー設定を考慮して、所与のデバイスアプリケーションが、ナビゲーション要求の理由に関係なくナビゲートすることができるかどうかを検証するように実施することができる。また、別個のナビゲーションスタックを、通常モードのユーザーエクスペリエンスのため及び現在の制限された実行モードのために維持することができる。制限された実行サービス１００２はまた、シナリオの要求に基づいて、通常モードスタックから制限されたモードスタックへのアプリケーションの移行又はその逆を許可したり拒否したり、利用可能なリソースと制限されたモードへの遷移及び制限されたモードからの遷移とに基づいて、各スタック上のアプリケーションをいつ終了するかを判断するように実施される。
【００６７】
[0065]デバイスアプリケーション１０１８は、デバイスコンテンツ１０２２を求める要求によって、共有デバイスアプリケーション１０２０に対するタスク呼び出しを開始してもよく、制限された実行サービス１００２は、制限された実行モード１０１４がアクティブにされている間、共有デバイスアプリケーションを介したデバイスコンテンツに対するデバイスアプリケーションのアクセスを制限することができる。デバイスアプリケーションはまた、デバイスコンテンツへのアクセスを要求するためにオペレーティングシステム１００４に対してタスク呼び出しを開始することができ、制限された実行サービスは、制限された実行モードがアクティブにされる間に制限されるものとして指定される１つ又は複数のデバイスアプリケーションタスクに基づいて、デバイスコンテンツへのアクセスを制限することができる。
【００６８】
[0066]代替的に、デバイスアプリケーション１０１８は、デバイスコンテンツ１０２２を求める要求によって共有デバイスアプリケーション１０２０に対するタスク呼び出しを開始することができ、当該要求は、共有スペース１０１６において共有デバイスアプリケーションを介してデバイスコンテンツにアクセスすることをデバイスアプリケーションが許可されることを示す、要求トークンを含む。制限された実行サービス１００２は、制限された実行モードがアクティブにされる間、要求トークンに基づいて、共有デバイスアプリケーションを介したデバイスコンテンツへのアクセスを、デバイスアプリケーションに許可することができる。制限された実行サービスはまた、デバイスロック画面で入力されるＰＩＮコード又は認証資格情報に応答して、制限された実行モード１０１４を非アクティブ化することができ、デバイスアプリケーション１０１８がデバイスコンテンツ１０２２に対する無制限のアクセスを有する、モバイルデバイスの通常のユーザー・モードに戻ることができる。
【００６９】
[0067]制限された実行サービス１０００は、デバイスアプリケーションタスクのタスク情報フィールドに基づいて、どの制限されたモードにおいてデバイスアプリケーションが動作（例えば、実行）できるかを示すためのメカニズムを実施する。タスク情報フィールドは、特定のタスクが、制限された実行モードがアクティブにされるときに共有スペースにおいて実行することを許可され得るかどうかを示す。この新しいフィールドは、制限されたモードに入ったときにＭｏｂｉｌｅＵＩが与えるナビゲーションフィルターマスクと比較するためにナビゲーションサーバーが使用するビットマスクとなる。これらはアプリケーションによる代わりにタスクごとにマークされる。というのは、いくつかのファーストパーティのデバイスアプリケーションは、チャイルドシェアスペース（例えば、キッズコーナー）において機能することを許可することができるタスクを有するが、制限された実行モードがデバイス上でアクティブにされる間にすべてのアプリケーション機能が許可されるわけではないからである。デバイスアプリケーションが共有スペースにおいて動作
することを許可される場合、制限された実行サービスは、共有スペースにおいて動作するデバイスアプリケーションからタスク呼び出しが生じたかどうかを他の方法では判断することができない、コアシステムコンポーネントに渡されるトークンに基づいてタスク呼び出しを開始する発信元（例えば、デバイスアプリケーション）から、アプリケーションレイヤーを介してＡＰＩタスク呼び出しを追跡することができる。トークンは、タスク呼び出しが制限された実行モードから保護されるかどうかを判断するために利用することができる。
【００７０】
[0068]図１１は、制限された実行モードの例示的な方法１１００を示す。方法を説明する順序は、限定として解釈されるように意図されず、任意の数又は組み合わせの方法の動作を、方法又は代替の方法を実施するために任意の順序で組み合わせることができる。
【００７１】
[0069]１１０２において、デバイスロック画面は、モバイルデバイスの統合されたディスプレイデバイスに表示される。例えば、モバイルデバイス９００（図９）は、モバイルデバイスの統合されたディスプレイデバイス９０２上にデバイスロック画面９０４を表示する。１１０４において、ディスプレイは、デバイスロック画面で入力されたＰＩＮコード又は他の認証資格情報なしで共有スペースの共有スペースユーザーインターフェイスを表示するために、デバイスロック画面から遷移する。例えば、モバイルデバイス９００の入力システムは、ジェスチャー入力やデバイスの選択可能な制御入力などの入力を受け取り、当該入力は、デバイスロック画面で入力されたＰＩＮコード又は他の認証資格情報なしに共有スペース１０１６の共有スペースユーザーインターフェイス９１０を表示するためにデバイスロック画面９０４の表示から遷移するのに有効である。
【００７２】
[0070]１１０６において、モバイルデバイスの制限された実行モードがアクティブにされる。例えば、モバイルデバイス９００における制限された実行サービス１００２は、共有スペースに入ることに応答して、モバイルデバイスの制限された実行モード１０１４をアクティブにする。１１０８において、制限された実行モードがアクティブにされる間、デバイスコンテンツへのデバイスアプリケーションのアクセスが制限される。例えば、制限された実行モード１０１４がアクティブにされる間、モバイルデバイス９００における制限された実行サービス１００２は、デバイスコンテンツ１０２２へのデバイスアプリケーション１０１８のアクセスを制限する。
【００７３】
[0071]１１１０において、制限された実行モードは、デバイスロック画面で入力されたＰＩＮコード又は他の認証資格情報に応答して、非アクティブ化される。例えば、モバイルデバイス９００における制限された実行サービス１００２は、デバイスロック画面で入力されたＰＩＮコード又は他の認証資格情報に応答して、制限された実行モードを非アクティブにする。１１１２において、デバイスは、デバイスアプリケーションがデバイスコンテンツに対する無制限のアクセスを有する、モバイルデバイスのユーザーモードに戻る。例えば、モバイルデバイス９００における制限された実行サービス１００２は、デバイスアプリケーション１０１８がデバイスコンテンツ１０２２への無制限のアクセスを有する、モバイルデバイスのユーザーモード９００に戻る。
【００７４】
[0072]図１２は、制限された実行モードの例示的な方法１２００を示す。方法を説明する順序は、限定として解釈されるように意図されず、任意の数又は組み合わせの方法の動作を、方法又は代替の方法を実施するために任意の順序で組み合わせることができる。
【００７５】
[0073]１２０２において、制限された実行モードがアクティブにされる間、共有スペースに含まれる共有デバイスアプリケーションは、デバイスコンテンツへのアクセスを許可される。例えば、モバイルデバイス９００における制限された実行サービス１００２（図１０）は、制限された実行モードがアクティブにされる間、共有スペース１０１６に含ま
れる共有デバイスアプリケーション１０２０に対して、デバイスコンテンツ１０２２へのアクセスを許可する。
【００７６】
[0074]１２０４において、制限された実行モードがデバイス上でアクティブにされる間、共有デバイスアプリケーションを介したデバイスコンテンツへのアクセスを要求するデバイスアプリケーションは制限される。例えば、モバイルデバイス９００における制限された実行サービス１００２は、制限された実行モードがデバイス上でアクティブにされる間、デバイスコンテンツ１０２２へアクセスする要求により、共有デバイスアプリケーション１０２０に対するデバイスアプリケーション１０１８のタスク呼び出しを制限する。
【００７７】
[0075]１２０６において、デバイスコンテンツについての共有デバイスアプリケーションに対するタスク呼び出しにデバイスアプリケーションが含める要求トークンに基づいて、制限された実行モードがアクティブにされる間、デバイスアプリケーションは、共有デバイスアプリケーションを介したデバイスコンテンツへのアクセスを許可される。例えば、デバイスコンテンツについての共有デバイスアプリケーションに対するタスク呼び出しにデバイスアプリケーションが含める要求トークンに基づいて、制限された実行モードがアクティブにされる間、モバイルデバイス９００における制限された実行サービス１００２は、共有デバイスアプリケーションを介したデバイスアプリケーション１０１８によるデバイスコンテンツ１０２２へのアクセスを許可する。要求トークンは、デバイスアプリケーションが共有スペースにおいて共有デバイスアプリケーションを介してデバイスコンテンツにアクセスすることを許可されることを示す。
【００７８】
[0076]図１３は、制限された実行モードの例示的な方法１３００を示す。方法を説明する順序は、限定として解釈されるように意図されず、任意の数又は組み合わせの方法の動作を、方法又は代替の方法を実施するために任意の順序で組み合わせることができる。
【００７９】
[0077]１３０２において、制限された実行モードがアクティブにされる間、デバイスアプリケーションタスクが制限されるものとして指定されることに基づいて、デバイスコンテンツへのアクセスが制限され、デバイスアプリケーションはデバイスコンテンツにアクセスするためにタスク呼び出しを開始する。例えば、制限された実行モード１０１４がアクティブにされる間、モバイルデバイス９００における制限された実行サービス１００２（図１０）は、デバイスアプリケーションタスクが制限されるものとして指定されることに基づいて、デバイスコンテンツ１０２２へのアクセスを制限し、デバイスアプリケーション１０１８はデバイスコンテンツにアクセスするためにタスク呼び出しを開始する。
【００８０】
[0078]１３０４において、制限された実行モードがアクティブにされる間、デバイスアプリケーションは、モバイルデバイスのファイルシステムから制限される。例えば、制限された実行モードがアクティブにされる間、モバイルデバイス９００における制限された実行サービス１００２は、デバイスアプリケーション１０１８をモバイルデバイスのファイルシステムから制限する。
【００８１】
[0079]１３０６において、デバイスアプリケーションは、デバイスアプリケーションが共有デバイスアプリケーションとして共有スペースに含まれる場合に制限された実行モードでのデバイスコンテンツへのアクセスをデバイスアプリケーションに許可するように、ユーザーにより設計されるものとして判定される。代替的に、１３０８において、デバイスアプリケーションは、デバイスアプリケーションが共有スペースに含まれる場合であってもデバイスコンテンツへのアクセスを許可されないように設計されるものとして判定される。例えば、モバイルデバイス９００における制限された実行サービス１００２は、デバイスアプリケーションが共有デバイスアプリケーションとして共有スペースに含まれている場合に制限された実行モードでのデバイスコンテンツへのアクセスをデバイスアプリ
ケーションに許可するように、デバイスアプリケーションがユーザーにより設計されるかどうかを判断してもよい。制限された実行サービス１００２はまた、デバイスアプリケーションが共有スペースに含まれている場合であってもデバイスコンテンツへのアクセスが許可されないように、デバイスアプリケーションが設計されている（例えば、プログラムされている）と判断してもよい。加えて、この種のプログラムされたデバイスアプリケーションはまた、共有スペースに含まれるユーザーの指定にとって適格ではないものとして実施されてもよい。
【００８２】
[0080]単一の制限された実行モードとして本明細書において説明されるが、いくつかの例では、デバイスは、モバイルデバイスを子供と共有することを容易にするための、チャイルドシェアスペースに関連付けられる第１の制限された実行モード、及び、モバイルデバイスのユーザーによるより安全な運転を容易にするための安全運転共有スペースに関連付けられる第２の制限された実行モードなどの、複数の制限された実行モードを提供する。これらの様々な制限された実行モードは、各々が、デバイスの機能についての制限の異なるセットを課してもよい。例えば、子供に関連する実行モードが、電子メールデータ、デバイス設定の変更、又はアプリ内購入へのアクセスをブロックし得る一方、第２の安全運転のための制限された実行ゾーンは、道路から運転者の注意をそらす可能性のあるグラフィカルユーザーインターフェイスをブロックしてもよい。
【００８３】
[0081]ＰＩＮ又は他の認証資格情報を入力することなく、デバイスに表示されたロック画面から、ユーザーは、各々がそれに関連する異なる制限された実行モードを有する異なる共有スペースに到達することができてもよい。例えば、ロック画面から、ユーザーは、第１のジェスチャー（例えば、左スワイプ）を入力して、第１の制限された実行モードを有する第１の共有スペースに到達し、第２の異なるジェスチャー（例えば、右スワイプ）をを入力して、第２の制限された実行モードを有する第２の異なる共有スペースに到達してもよい。いくつかの例では、制限された実行モードに関連付けられた共有スペースは、ロック画面上の入力（例えばジェスチャー入力）を受け取ることとは異なるエントリーポイントからアクセスすることができる。
【００８４】
[0082]図１４は、モバイルデバイスの子供による共有の実施例を実施することができる例示的なデバイス１４０２を含む例示的なシステム１４００を示す。例示的なデバイス１４０２は、任意のタイプのクライアント又はモバイルデバイス、携帯電話、タブレット、コンピューティング、通信、エンターテイメント、ゲーム、メディア再生、及び／又は他のタイプのデバイスなどの、これより前の図１−１３を参照して説明した、デバイス、サービス、及び／又はサーバーのうちの任意のものとして実施することができる。例えば、図１及び２に示されるモバイルデバイス１００並びに図９及び１０に示されるモバイルデバイス９００は、例示的なデバイス１４０２として実施することができる。
【００８５】
[0083]デバイス１４０２は、メディアコンテンツ並びにデバイスにおける共有メッセージ、更新、及びイベントなどのデバイスデータ１４０６の有線及び／又は無線通信を可能にする、通信デバイス１４０４を含む。メディアコンテンツは、任意のタイプの音声、ビデオ、及び／又は画像データを含むことができる。通信デバイス１４０４はまた、セルラー電話通信のための及び／又はネットワークデータ通信のためのトランシーバーを含んでもよい。
【００８６】
[0084]デバイス１４０２はまた、デバイス、データネットワーク及び他のデバイスの間の接続及び／又は通信リンクを提供するデータネットワークインターフェイスなどの、入出力（Ｉ／Ｏ）インターフェイス１４０８を含む。Ｉ／Ｏインターフェイスは、任意のタイプのコンポーネント、周辺デバイス、及び／又は付属デバイスにデバイスを結合するために使用することができる。Ｉ／Ｏインターフェイスはまた、デバイスへのユーザー入力
のほか、任意のコンテンツソース及び／又はデータソースから受け取られる任意のタイプの音声、ビデオ及び／又は画像データなどの、任意のタイプのデータ、メディアコンテンツ、及び／又は入力を受け取ることができる、データ入力ポートを含む。
【００８７】
[0085]Ｉ／Ｏインターフェイス１４０８はまた、マウス、キーボード、リモコンなどの入力デバイスによって課される人工的な制約のない「自然な」方法でユーザーがデバイスとインタラクトすることを可能にする、任意のインターフェイス技術などの、デバイスに対する自然ユーザーインターフェイス（ＮＵＩ）入力をサポートする。自然ユーザーインターフェイス入力の例は、音声認識、タッチ及びスタイラス認識、画面上のジェスチャー認識、デバイスに近いモーションジェスチャー認識、頭、目、及び環境認識及び追跡、拡張現実及び仮想現実システム、並びに、他のタイプの聴覚、視覚、触覚、ジェスチャー、及び／又はユーザー入力の意図を決定することができる人工知能に依存してもよい。
【００８８】
[0086]デバイス１４０２は、実行可能な命令を処理する任意のタイプのマイクロプロセッサー、コントローラーなどのハードウェアで少なくとも部分的に実施することができる処理システム１４１０を含む。処理システムは、集積回路、プログラマブル論理デバイス、１つ又は複数の半導体を用いて形成された論理デバイス、並びに、システム・オン・チップ（ＳｏＣ）として実施されるプロセッサー及びメモリーシステムなどのシリコン及び／又はハードウェアでの他の実施例のコンポーネントを含むことができる。代替的に又は加えて、デバイスは、処理回路及び制御回路で実現することができる、ソフトウェア、ハードウェア、ファームウェア、又は固定論理回路のうちの任意の１つ又は組み合わせで実施することができる。デバイス１４０２は、さらに、任意のタイプのシステムバス、又は、様々なコンポーネントをデバイスと結合する他のデータ及びコマンド転送システムを含んでもよい。システムバスは、異なるバス構造及びアーキテクチャー、並びに制御ライン及びデータラインのうちの任意の１つ又は組み合わせを含んでもよい。
【００８９】
[0087]デバイス１４０２はまた、コンピューティングデバイスによってアクセスすることができ、データ及び実行可能命令（例えば、ソフトウェアアプリケーション、プログラム、関数など）の永続的な記憶を提供するデータ記憶デバイスなどの、コンピューター読み取り可能な記憶媒体１４１２を含む。コンピューター読み取り可能な記憶媒体の例は、揮発性メモリー及び不揮発性メモリー、固定の及び取り外し可能なメディアデバイス、及び、コンピューティングデバイスのアクセスのためのデータを保持する任意の適切なメモリーデバイス又は電子データストレージを含む。コンピューター読み取り可能な記憶媒体は、ランダムアクセスメモリー（ＲＡＭ）、読み出し専用メモリー（ＲＯＭ）、フラッシュメモリー、及び様々なメモリーデバイス構成の他のタイプの記憶媒体の様々な実施例を含んでもよい。
【００９０】
[0088]一般に、コンピューター読み取り可能な記憶媒体は、単なる信号伝送、搬送波、又は信号自体とは対照的に、データの永続的及び／又は持続的な記憶を可能とする媒体及び／又はデバイスを表す。コンピューター読み取り可能な信号媒体は、ネットワークを介するなどして命令を送信する信号担持媒体を指してもよい。信号媒体は、搬送波又は他の移送メカニズムなどの、変調データ信号内のデータとしてコンピューター読み取り可能な命令を具現化することができる。
【００９１】
[0089]コンピューター読み取り可能な記憶媒体１４１２は、デバイスデータ１４０６、並びに、コンピューター読み取り可能な記憶媒体によってソフトウェアアプリケーションとして保持されて処理システム１４１０によって実行されるオペレーティングシステムなどのさまざまなデバイスアプリケーション１４１４についての記憶を提供する。この例では、デバイスアプリケーションはまた、例示的なデバイス１４０２が図１に示したモバイルデバイス１００として実施される場合などの、モバイルデバイスの子供による共有の実
施例を実施するデバイス共有サービス１４１６を含む。デバイス共有サービス１４１６の例は、図１及び２を参照して説明したように、モバイルデバイス１００においてオペレーティングシステム２０４と統合されるデバイス共有サービス２０２である。
【００９２】
[0090]デバイスアプリケーション１４１４は、モバイルデバイスの子供による共有の実施例を実施するサービス及びアプリケーション１４１８のうちの任意のものを含むことができる。例示的なデバイス１４０２はまた、モバイルデバイスの子供による共有及び／又はモバイルデバイスの家族による調整の実施例をサポートするために、ソフトウェア、ファームウェア、ハードウェア（例えば、固定論理回路）、又はそれらの任意の組み合わせの一般的なコンテキストで実施することができる、家族調整アーキテクチャー（family coordination architecture）１４２０を含む。デバイス１４０２はまた、デバイスの全地球位置又はナビゲーション位置を決定するために利用することができる、ＧＰＳ送受信機、又は同様の測位システムコンポーネントなどの、測位システム１４２２を含むことができる。
【００９３】
[0091]デバイス１４０２はまた、オーディオデバイス１４２６のための音声データを生成し及び／又はディスプレイデバイス１４２８のための表示データを生成する、オーディオ及び／又はビデオデバイス１４２４を含む。オーディオデバイス及び／又はディスプレイデバイスは、音声、ビデオ、表示、及び／又は画像データを処理し、表示し、及び／又はそうでなければレンダリングする、任意のデバイスを含む。実施例では、オーディオデバイス及び／又はディスプレイデバイスは、例示的なデバイス１４０２の統合されたコンポーネントである。代替的に、オーディオデバイス及び／又はディスプレイデバイスは、例示的なデバイスの外部の周辺コンポーネントである。
【００９４】
[0092]実施例では、モバイルデバイスの子供による共有について説明された技術の少なくとも一部は、プラットフォーム１４３２における「クラウド」１４３０を介するなど、分散システムにおいて実施されてもよい。「クラウド」１４３０は、サービス１４３４及び／又はリソース１４３６のためのプラットフォーム１４３２を含み、及び／又はこれを表す。例えば、サービス１４３４は、クラウドストレージ及びサービス２０６、並びに図２を参照して説明したようなデータサービス２０８のうちの任意のものを含んでもよい。さらに、リソース１４３６は、図２を参照して説明したようなチャイルドシェアプロファイル２１０を含んでもよい。
【００９５】
[0093]プラットフォーム１４３２は、（例えば、サービス１４３４に含まれる）サーバーデバイスなどのハードウェア及び／又は（例えば、リソース１４３６として含まれる）ソフトウェアリソースの基本的な機能を抽象化し、例示的なデバイス１４０２を他のデバイス、サーバーなどと接続する。リソース１４３６はまた、コンピューター処理が例示的なデバイス１４０２から離れたサーバー上で実行される間に利用することができるアプリケーション及び／又はデータを含んでもよい。また、サービス１４３４及び／又はリソース１４３６は、インターネット、セルラーネットワーク、又はＷｉ−Ｆｉネットワークを介するなどして、加入者ネットワークサービスを容易にすることができる。プラットフォーム１４３２はまた、システム１４００全体に分散された機能を有する相互接続されたデバイスの実施例などのプラットフォームを介して実施される、リソース１４３６に対する需要に対してサービスを提供するためにリソースを概念化して拡大縮小するように働いてもよい。例えば、機能は、例示的なデバイス１４０２において、並びに、クラウド１４３０の機能を抽象化するプラットフォーム１４３２を介して、部分的に実施されてもよい。
【００９６】
[0094]モバイルデバイスの子供による共有の実施例は、特徴及び／又は方法に特有の言葉で説明されてきたが、添付の特許請求の範囲は必ずしも説明した特定の特徴又は方法に限定されるものではない。むしろ、特定の特徴及び方法は、モバイルデバイスの子供によ
る共有の例示的な実施例として開示されたものである。
【図３】
2015528674.tif 000003
【図４】
2015528674.tif 000004
【図５】
2015528674.tif 000005
【図１１】
2015528674.tif 000006
【図１２】
2015528674.tif 000007
【図１３】
2015528674.tif 000008
【図１４】
2015528674.tif 000009
【図１】
2015528674.tif 000010
【図２】
2015528674.tif 000011
【図６】
2015528674.tif 000012
【図７】
2015528674.tif 000013
【図８】
2015528674.tif 000014
【図９】
2015528674.tif 000015
【図１０】
2015528674.tif 000016
【国際調査報告】
2015528674.tif 000017
2015528674.tif 000018